(57)【要約】      （修正有）【課題】交流電位治療器の治療残時間の発光表示を、暗所では明る過ぎず、明所でも確認できる程度の光点としたり、発光表示モードを変更できる発光表示装置を提供する。【解決手段】絶縁被覆の導電マットから生体に交流高電圧を印加して治療を実行する交流電位治療器の治療残時間を発光表示するに当たり、治療器の外面に所定時間毎に配列した治療時間選択スイッチＳ１〜Ｓ６で、タイマー回路のオン時間を設定し、このオン時間だけ電位治療器を作動可能に構成すると共に、選択スイッチに対応して配列した多数の発光素子Ｄ１〜Ｄ６を発光モード制御部ＣＰＵにより、治療残時間の減少に応じて発光点が１個ずつ順次移動する光点移動発光モードと、光点漸減発光モードと、ブロック発光移動モードに変更してそれぞれ発光させ、かつ、光点をスポット状にして暗所では明る過ぎずに気にならず、明所でも確認できる程度に設定した。【選択図】図１
0003192956.tif 000002
【実用新案登録請求の範囲】
【請求項１】
絶縁被覆の導電マットから生体に交流高電圧を印加して治療を実行する交流電位治療器
の治療残時間を発光表示するに当たり、前記治療器の外面に所定時間毎に整然と配列した
治療時間選択スイッチで、タイマー回路のオン時間を設定し、このオン時間だけ前記電位
治療器を作動可能に構成すると共に、前記選択スイッチに対応して配列した多数の発光素
子を発光モード制御部ＣＰＵにより、治療残時間の減少に応じて発光点が１個ずつ順次に
移動する光点移動発光モードで発光させ、かつ、前記光点が暗所では明る過ぎずに気にな
らず、しかも明所でも確認できる程度の光点に設定したことを特徴とする交流電位治療器
における治療残時間の発光表示装置。
【請求項２】
絶縁被覆の導電マットから生体に交流高電圧を印加して治療を実行する交流電位治療器
の治療残時間を発光表示するに当たり、前記治療器の電源スイッチ投入によりパイロット
光点を発光させると共に、治療器制御系回路を始動させた後、前記治療器の外面に所定時
間毎に整然と配列した治療時間選択スイッチで、タイマー回路のオン時間を設定し、この
オン時間だけ前記電位治療器を作動可能に構成する一方、前記選択スイッチに対応して配
列した多数の発光素子を発光モード制御部ＣＰＵにより、治療残時間の減少に応じて発光
点が１個ずつ順次に移動する光点移動発光モードで発光させ、前記パイロット光点を指標
として移動光点の位置を検することで治療残時間を検知可能に構成し、かつ、前記各光点
が暗所では明る過ぎずに気にならず、しかも明所でも確認できる程度の光点に設定したこ
とを特徴とする交流電位治療器における治療残時間の発光表示装置。
【請求項３】
絶縁被覆の導電マットから生体に交流高電圧を印加して治療を実行する交流電位治療器
の治療残時間を発光表示するに当たり、前記治療器の外面に所定時間毎に整然と配列した
治療時間選択スイッチで、タイマー回路のオン時間を設定し、このオン時間だけ前記電位
治療器を作動可能に構成する一方、前記選択スイッチに対応して配列した多数の発光素子
を発光モード制御部ＣＰＵにより、治療残時間の減少に応じて発光点が１個ずつ順次に移
動する光点移動発光モードと、治療残時間に応じて発光表示させた多数の発光素子を治療
残時間の減少に応じ、１個ずつ順次に消す光点漸減発光モードとに区別して発光可能とし
、かつ前記ＣＰＵの発光モードを選択スイッチにより二者択一選択可能としたことを特徴
とする交流電位治療器における治療残時間の発光表示装置。
【請求項４】
絶縁被覆の導電マットから生体に交流高電圧を印加して治療を実行する交流電位治療器
の治療残時間を発光表示するに当たり、前記治療器の外面に所定時間毎に整然と配列した
治療時間選択スイッチで、タイマー回路のオン時間を設定し、このオン時間だけ前記電位
治療器を作動可能に構成する一方、前記選択スイッチに対応して配列した多数の発光素子
を発光モード制御部ＣＰＵにより、治療残時間の減少に応じて発光点が１個ずつ順次に移
動する光点移動発光モードと、治療残時間に応じて発光表示させた多数の発光素子を治療
残時間の減少に応じて１個ずつ順次に消す光点漸減発光モードと、単位発光素子を複数個
ずつ配列した発光ブロックを治療残時間の減少に応じ、前記所定時間毎に１個ずつ順次に
移動させると共に、この発光ブロック内の複数の単位発光素子を治療残時間の減少に応じ
て１個ずつ順次に消すブロック発光移動モードとに区別して発光可能とし、これら各発光
モードを前記ＣＰＵの発光モード選択スイッチにより選択することで、前記発光素子の発
光モードを三者択一選択可能としたことを特徴とする交流電位治療器における治療残時間
の発光表示装置。
【考案の詳細な説明】
【技術分野】
【０００１】
本考案は、交流電位治療器における治療残時間の発光表示装置に係り、特にこの考案は
、上記発光表示が暗所では明る過ぎずに気にならず、しかも明所でも確認できる程度の光
点とし、発光表示モードを変更できる治療残時間の発光表示装置に関する。
【背景技術】
【０００２】
従来の交流電位治療器における治療残時間の発光表示装置としては、例えば特開２０１
２−３４８０８号公報（特許文献１）に記載のように、発光部や、発光表示部の輝度を減
光することで、表示光が暗所で気になる問題を解決した発光文字表示式の治療残時間表示
装置が周知である。
【０００３】
この特許文献１には、その要約として、操作手段を照明する発光手段と、制御手段によ
る制御で発光手段と発光表示手段のオン／オフ駆動および減光駆動する駆動手段と、治療
開始から所定時間まで計時する減光タイマーとを用い、治療動作を開始すると共に減光タ
イマーの計時を開始する処理と、減光タイマーの計時が所定時間に達した時に駆動手段を
制御し、発光手段を減光させる処理を制御手段で実行するとした記載が有る。
【０００４】
上記文献１の発光表示手段には、唯一の実施例として、文献１の段落００１０に記載の
ように、７個の発光ダイオードを８字状に配置したＬＥＤアレイを用い、その減光に当っ
ては、唯一の実施例として、文献１の段落００２５に記載のように、減光タイマーの計時
が所定時間（例えば１０秒）に達すると、駆動手段を制御し、上記発光表示手段を使用者
が気にならないくらいの照度に減光させるように制御するとした記載が有る。
【０００５】
したがって、この文献１の発光手段や、発光表示手段の「減光」という意味は、減光タ
イマーの計時が所定時間（例えば１０秒）に達すると、暗い部屋で表示部分の光が気にな
らない位に上記発光手段や、発光表示手段の輝度・照度を減じることである。
【０００６】
したがって、上記文献１の発光手段や、発光表示手段の発光表示文字は、交流電位治療
器を明るい場所で使用する場合にも、前記所定時間後には必ず暗所で気にならない程度に
「減光」してしまうので、この減光した発光表示文字は、明るい場所では輝度不足のため
解読不可能になるという根源的で切実な問題点が有る。
【先行技術文献】
【特許文献】
【０００７】
【特許文献１】特開２０１２−３４８０８号公報
【考案の概要】
【考案が解決しようとする課題】
【０００８】
本考案は、交流電位治療器による治療残時間の発光表示を暗所では気にならず、しかも
明所でも確認できる程度の光点表示としたり、複数の発光モードを採用可能にすることを
目的とする。
【課題を解決するための手段】
【０００９】
本考案の第１の目的は、絶縁被覆の導電マットから生体に交流高電圧を印加して治療を
実行する交流電位治療器の外面に所定の時間区域毎に整然と配列した治療時間選択スイッ
チで、タイマー回路のオン時間を設定し、このオン時間だけ前記電位治療器を作動可能に
構成する一方、前記選択スイッチに対応して配列した多数の発光素子を発光モード制御部
ＣＰＵにより、治療残時間の減少に応じて発光点が１個ずつ順次に移動する光点移動発光
モードで発光させ、かつ、前記光点が暗所では明る過ぎずに気にならず、しかも明所でも
確認できる程度の光点に設定したことで達成できた。
【００１０】
本考案の第２の目的は、前記交流電位治療器の電源スイッチ投入によりパイロット光点
を発光させると共に、治療器制御系回路を始動させた後、前記治療器の外面に所定時間毎
に整然と配列した治療時間選択スイッチで、タイマー回路のオン時間を設定し、このオン
時間だけ前記電位治療器を作動可能に構成する一方、前記選択スイッチに対応して整然と
配列した多数の発光素子を発光モード制御部ＣＰＵにより、治療残時間の減少に応じて発
光点が１個ずつ順次に移動する光点移動発光モードで発光させ、前記パイロット光点を指
標として前記移動光点の位置を検することで治療残時間を検知可能に構成し、かつ、前記
各光点が暗所では明る過ぎずに気にならず、しかも明所でも確認できる程度の光点に設定
したことで達成できた。
【００１１】
本考案の第３の目的は、発光素子の発光モードを発光モード制御部ＣＰＵにより、前記
光点移動発光モードと、治療残時間に応じて発光表示させた多数の発光素子を治療残時間
の減少に応じて１個ずつ順次に消す、光点漸減発光モードとに区別して発光可能とし、こ
れら各発光モードを前記ＣＰＵの発光モード選択スイッチにより選択することで、前記発
光素子の発光モードを二者択一選択可能としたことで達成できた。
【００１２】
さらに、本考案の第４の目的は、発光素子の発光モードを発光モード制御部ＣＰＵによ
り、前記光点移動発光モードと、前記光点漸減発光モードと、単位発光素子を複数個ずつ
配列した発光ブロックを治療残時間の減少に応じ、前記所定時間毎に１個ずつ順次に移動
させると共に、この発光ブロック内の例えば１０個の単位発光素子を治療残時間の減少に
応じ、きめ細かく１個ずつ順次に消す、ブロック発光移動モードとに区別して発光可能と
し、これら各発光モードを前記ＣＰＵの発光モードを選択スイッチにより選択することで
、前記発光素子の発光モードを三者択一選択可能としたことで達成できた。
【考案の効果】
【００１３】
請求項１の考案によれば、前記多数の発光素子を発光モード制御部ＣＰＵにより、治療
残時間の減少に応じて発光点が１個ずつ順次に移動する光点移動発光モードで発光させる
ことで、治療残時間を検知できると共に、前記発光素子を現用一般的な電子機器の状態表
示用発光素子程度とし、光点を例えば直径２ｍｍ程度または１辺が２ｍｍ程度のスポット
状にすることにより、光点が暗所では明る過ぎずに気にならず、しかも明所でも確認でき
る程度の光点にできたので、この光点は、明所で確認できる程度の光点の輝度や発光面積
でも暗所では明る過ぎないし、この光点はそのまま、明所でも確認できるという優れた効
果が有り、暗所で表示光が明る過ぎて気になる問題を解決できた。
【００１４】
請求項２の考案によれば、前記諸効果に加え、前記多数の発光素子を発光モード制御部
ＣＰＵにより、治療残時間の減少に応じて発光点が１個ずつ順次に移動する光点移動発光
モードで発光させ、電源スイッチの投入により、予め発光させてある前記パイロット光点
を指標として前記移動光点の位置を検することで、治療残時間を検知可能にしたので、上
記パイロット光点を指標光点として兼用でき、前記光点との間隔を真暗闇でも容易かつ、
確実に確認できると共に、専用の指標光点か不要となったので、スペース的にもコスト的
にも経済的となるという効果を付加できた。
【００１５】
請求項３の考案によれば、多数の発光素子を発光モード制御部ＣＰＵにより、治療残時
間の減少に応じて発光点が１個ずつ順次に移動する光点移動発光モードと、治療残時間に
応じて発光表示させた多数の発光素子を治療残時間の減少に応じて１個ずつ順次に消す、
光点漸減発光モードとに区別して発光可能とし、かつ前記発光モードを選択スイッチによ
り選択することで、前記発光素子の発光モードを二者択一選択可能としたので、上記光点
漸減発光モードの発光素子の光点列は、明所でも一層見やすくなったという効果を付加で
きた。
【００１６】
請求項４に記載の考案によれば、前記諸効果に加え、発光素子の発光モードを発光モー
ド制御部ＣＰＵにより、前記光点移動発光モードと、前記光点漸減発光モードと、単位発
光素子を複数個ずつ配列した発光ブロックを治療残時間の減少に応じ、前記所定時間毎に
１個ずつ順次に移動させると共に、この発光ブロック内の例えば１０個の単位発光素子を
治療残時間の減少に応じ、きめ細かく１個ずつ順次に消す、ブロック発光移動モードとに
区別して発光表示できる。
【００１７】
したがって、上記請求項４の考案によれば、治療残時間の減少に応じて例えば１分間毎
に１個ずつ順次に消える単位発光素子により、一層きめの細かい治療残時間の発光表示が
可能になると共に、このブロック発光移動モードによる上記発光ブロックは、治療残時間
の減少に応じ、例えば１０分毎に１個ずつ順次に移動するので、治療残時間の発光表示が
より一層見易く、確実に実行できるし、より一層バラエティに富んだ治療残時間の発光表
示ができるという効果を付加できた。
【図面の簡単な説明】
【００１８】
【図１】本考案腰部の実施形態例を示す系統回路図
【図２】本考案による交流電位治療器の１例を示す外観図
【図３】本考案における光点移動発光モードの例を示す説明図
【図４】本考案における光点漸減発光モードの例を示す説明図
【図５】本考案におけるブロック発光移動モードの例を示す説明図
【考案を実施するための形態】
【００１９】
次に、本考案の実施形態の１例を図面と共に説明すると、図２のように、絶縁被覆の導
電マットｍから生体に交流高電圧を印加して治療を実行する交流電位治療器Ａを構成する
に当たり、図１のように上記治療器Ａの電源スイッチＭＳの投入により、例えば発光ダイ
オード（ＬＥＤ）等による電源投入表示用発光素子や、交流電位治療器の強弱モード表示
用発光素子等のパイロット光点ＰＬを発光させると共に、図１の鎖線ルートで示すように
交流電位治療器Ａのタイマー回路等を含む制御系ａをスタンバイ状態に維持する。
【００２０】
次いで、図１・図２のように前記治療器Ａの外面に所定時間、例えば図示例では１０分
間毎に整然と配列した６個の治療時間選択スイッチＳ１〜Ｓ６の各別操作で、図１のよう
に現用一般的なタイマー回路Ｔのオン時間を所定時間、例えば１０分間毎に設定可能とし
、このオン時間だけ前記電位治療器Ａに現用周知のスイッチ回路ＳＷを経て電源電流を供
給し、この治療器を作動可能に構成する。
【００２１】
次いで、発光ダイオード（ＬＥＤ）等の発光素子Ｄ１〜Ｄ６を図１のように、発光素子
ドライブ回路Ｄを経て治療器Ａの内部に配置し、上記発光素子Ｄ１〜Ｄ６からの光線をそ
れぞれ上記各スイッチＳ１〜Ｓ６に対応して治療器Ａの外面に設けた横長の光点表示窓Ｐ
の内面に投射することで、例えば緑色の光点Ｌを図２のように上記光点表示窓Ｐに表示可
能に構成するのであるが、その詳細は次の実施例１で述べる。
【００２２】
また、前記発光モード制御部ＣＰＵに内装した発光モードデータメモリーＭに周知手段
で予め記憶させてある例えば２通りの発光モードデータから、一つの発光モードデータを
発光モード選択スイッチＳＡ・ＳＢを介して二者択一選択可能に構成し、次段の発光素子
ドライブ回路Ｄを経て上記６個の発光素子Ｄ１〜Ｄ６を各発光モードで発光可能に構成す
るのであるが、その詳細も次の実施例１で述べる。
【実施例１】
【００２３】
先ず、前記２通りの発光モードとしては、治療残時間の減少に応じて光点Ｌが図３のＢ
〜Ｇの順序で１０分間毎に１個ずつ順次に移動する光点移動発光モードと、図４のＢのよ
うに治療残時間に応じて発光表示させた多数の光点Ｌを治療残時間の減少に応じて図４の
Ｂ〜Ｇの順序で１０分間毎に１個ずつ順次に消す、光点漸減発光モードとの２通りの発光
モードを採用する。
【００２４】
具体的には、図１のように前記発光モード制御部ＣＰＵ内に発光モードデータメモリー
Ｍを設け、このメモリーＭに前記光点移動発光モードと光点漸減発光モードとの２通りの
発光モードを、それぞれ一連のシーケンスに基づく周知のプログラム化手段で、各別にプ
ログラムデータ化した２通りの発光モードデータを記憶させておき、そのメモリー内容を
前記発光モード制御部ＣＰＵにより、前記発光モード選択スイッチＳＡ・ＳＢを介し、一
連のシーケンスに基づく現用周知のメモリデータ選択手段で、二者択一選択可能にしてあ
る。
【００２５】
ところで、真暗闇の部屋等では、交流電位治療器自体が見えず、この見えない状態で上
記光点移動発光モードを用いても、光点Ｌの移動位置が確認困難となるので、前記電源投
入表示用発光素子等のパイロット光点ＰＬを指標として移動光点Ｌの位置を検知可能にす
れば、治療残時間を容易・確実に検知できるが、光点漸減発光モードや、ブロック発光移
動モードでは、上記パイロット光点ＰＬは不要となる。
【００２６】
ただし、上記各光点Ｌ・ＰＬを暗所では明る過ぎずに気にならず、しかも明所でも確認
できる程度の光点にするには、前記各発光素子Ｄ１〜Ｄ６・ＰＬに現用一般的な電子機器
の状態表示に用いる発光素子の輝度程度で小形のものを用いると共に、各発光素子Ｄ１〜
Ｄ６の発光面に対向配置した交流電位治療器の光点表示窓Ｐの内面に黒色遮光フィルムを
配したり、黒色塗料を塗布する。
【００２７】
次いで、上記フィルムや黒色塗料の上記発光面対向部分に例えば直径２ｍｍ程度の光線
透過部または、１辺が２ｍｍ程度の光線透過部を設け、前記各発光素子からの投射光を光
点表示窓Ｐの外面に光点Ｌとして各別に表出させることで、この光点Ｌが暗所では明る過
ぎずに気にならず、明所でも確認できる程度の光点に設定できた。
【００２８】
なお、上記光線透過孔付きの黒色遮光フィルムや、黒色塗料を用いる代わりに、直径２
ｍｍ程度の遮光丸枠または、２ｍｍ×４ｍｍ程度の遮光角枠から各発光素子Ｄ１〜Ｄ６か
らの投射光を前記光点表示窓Ｐの内面にスポット投射可能に各別配置しても、上記光点表
示窓Ｐを経た各発光ダイオードＤ１〜Ｄ６による光点Ｌを暗所では明る過ぎずに気になら
ず、しかも明所でも確認できる程度の光点に設定でき、前記パイロット光点ＰＬに関して
も、その表示窓に上記光点表示手段を施す。
【実施例２】
【００２９】
本件考案は、前記２通りの発光モードのほかに、図５のように単位発光素子ｄを例えば
１０個ずつ配列した６個の発光ブロックＢを治療残時間の減少に応じ、前記所定時間毎に
１個ずつ図５の矢示方向に移動させる際に、この発光ブロックＢ内の上記１０個の単位発
光素子ｄを治療残時間の減少に応じてきめ細かく１個ずつ順次に消す、ブロック発光移動
モードを付加できる。
【００３０】
その具体構成は、図５のように単位発光素子ｄを例えば遮光枠内に１０個ずつ設けた発
光ブロックＢを治療残時間の減少に応じて前記所定時間、例えば図示例では１０分間毎に
１個ずつ矢示方向に移動させると共に、この発光ブロックＢ内の上記単位発光素子ｄを治
療残時間の減少に応じ、きめ細かく例えば１分間毎に１個ずつ順次に消光できる。
【００３１】
図５に示す実施例では、例えば１０分後に上記発光素子ブロックＢ内の単位発光素子ｄ
の全部が消えたら、矢示方向に隣接した次の発光ブロックＢ内の１０個の単位発光素子ｄ
の全部を発光させ、この発光素子ｄを治療残時間の減少に応じ、例えば１分間毎に１個ず
つ順次に消すという、一連の発光表示動作を治療時間終了まで順次に繰り返すことで、ブ
ロック発光移動モードによる治療残時間の発光表示が可能になった。
【００３２】
具体的には、図１のように前記発光モード制御部ＣＰＵ内に発光モードデータメモリー
Ｍを設け、このメモリーＭに前記光点移動発光モードと光点漸減発光モードと、上記ブロ
ック発光移動モードとの合計３通りの発光モードを、それぞれ一連のシーケンスに基づく
周知のプログラム化手段で、各別にプログラムデータ化した３通りの発光モードデータを
記憶させておき、そのメモリー内容を前記発光モード制御部ＣＰＵにより、前記と同様な
選択スイッチ（図示せず）を介し、一連のシーケンスに基づく現用周知のメモリデータ選
択手段で、三者択一選択可能にしてある。
【００３３】
以上のブロック発光移動モードを採用すれば、治療残時間の減少に応じ、例えば１分間
毎に１個ずつ順次に移動する単位発光素子により、一層きめの細かい治療残時間の発光表
示が可能になると共に、この発光モードによる上記発光ブロックは、治療残時間の減少に
応じ、例えば１０分毎に１個ずつ順次に移動するので、治療残時間の発光表示がより一層
見易く、確実に実行できるし、バラエティに富んだ治療残時間の発光表示ができる。
【００３４】
なお、前記光点移動発光モードによる発光表示に図５に示す実施形態を採用する場合に
は、前記６個の発光ブロックＢ内にそれぞれ設けた例えば１０個の単位発光素子ｄを治療
残時間の減少に応じ、図５の矢示方向にきめ細かく１分間毎に１個ずつ順次に移動可能に
すれば、治療残時間の減少に応じて上記１０個の単位発光素子ｄが、１分間毎に１個ずつ
順次に移動するので、きめ細かく治療残時間の発光表示が可能になる。
【００３５】
ただし、図５に示す実施形態を前記光点漸減発光モードに採用する場合には、治療残時
間に対応して予め発光表示させてある多数の発光ブロックＢを治療残時間の減少に応じ、
１０分間毎に１個ずつ消すに当たり、最初の発光ブロックＢ内の１０個の単位発光素子ｄ
を治療残時間の減少に応じ、きめ細かく１分間毎に１個ずつ順次に消しつつ、最初の発光
表示をきめ細かく実行する。
【００３６】
次いで、予め発光済の図５矢示方向に隣接した次の発光素子ブロックＢ内の１０個の単
位発光素子ｄも治療残時間の減少に応じ、きめ細かく１分間毎に１個ずつ順次に消しつつ
、第２番目の発光表示をきめ細かく実行するという、一連の発光表示動作を治療時間終了
まで順次に繰り返すことで、光点漸減発光モードによる、きめ細かい治療残時間の発光表
示ができる。
【符号の説明】
【００３７】
Ａ…交流電位治療器              Ｍ…発光モードデータメモリー
ａ…交流電位治療器の制御系      ＭＳ…電源スイッチ
Ｂ…発光ブロック                Ｓ１〜Ｓ６…治療時間選択スイッチ
ＣＰＵ…発光モード制御部        ＳＡ・ＳＢ…発光モード選択スイッチ
Ｄ…発光素子ドライブ回路        ＳＷ…スイッチ回路
Ｄ１〜Ｄ６…発光素子            Ｔ…タイマー回路
ｄ…単位発光素子                Ｐ…光点表示窓
Ｌ…光点                        ＰＬ…パイロット光点
【図１】
0003192956.tif 000003
【図２】
0003192956.tif 000004
【図３】
0003192956.tif 000005
【図４】
0003192956.tif 000006
【図５】
0003192956.tif 000007